(57)【特許請求の範囲】
【請求項１】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液の一部は低温熱交換器、中温熱交換器を順次経由して第２中温再生器に流入し、残部は低温熱交換器、中温熱交換器、高温熱交換器を順次経由して高温再生器に流入し、高温再生器で濃縮再生された吸収液は高温熱交換器を経由して中温再生器に流入し、第２中温再生器で濃縮再生された吸収液は中温再生器で濃縮再生された前記一部の吸収液と合流し、その後中温熱交換器、低温再生器、低温熱交換器を順次経由して吸収器に還流可能に吸収液管が設けられたことを特徴とする吸収冷凍機。
【請求項２】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液の一部は低温熱交換器、中温熱交換器を順次経由して第２中温再生器に流入し、残部は低温熱交換器、中温熱交換器、高温熱交換器を順次経由して高温再生器に流入し、高温再生器で濃縮再生された吸収液は高温熱交換器を経由して中温再生器に流入し、第２中温再生器で濃縮再生された吸収液は中温再生器に直接流入し、中温再生器で濃縮再生された吸収液は中温熱交換器、低温再生器、低温熱交換器を順次経由して吸収器に還流可能に吸収液管が設けられたことを特徴とする吸収冷凍機。
【請求項３】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液の一部は低熱交換器を経由して第２中温再生器に流入し、残部は低温熱交換器、中温熱交換器、高温熱交換器を順次経由して高温再生器に流入し、高温再生器で濃縮再生された吸収液は高温熱交換器を経由して中温再生器に流入し、第２中温再生器で濃縮再生された吸収液は中温再生器に直接流入し、中温再生器で濃縮再生された吸収液は中温熱交換器、低温再生器、低温熱交換器を順次経由して吸収器に還流可能に吸収液管が設けられたことを特徴とする吸収冷凍機。
【請求項４】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液の一部は低温熱交換器、中温熱交換器、中温再生器を順次経由して第２中温再生器に流入し、残部は低温熱交換器、中温熱交換器、中温再生器、高温熱交換器を順次経由して高温再生器に流入し、高温再生器で濃縮再生された吸収液は高温熱交換器、中温熱交換器を順次経由して低温再生器に流入し、第２中温再生器で濃縮再生された吸収液は高温熱交換器を経由した前記一部の吸収液と合流して中温熱交換器と低温再生器とに流入し、低温再生器で濃縮再生された吸収液は低温熱交換器を経由して吸収器に還流可能に吸収液管が設けられたことを特徴とする吸収冷凍機。
【請求項５】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液の一部は低温熱交換器を経由して第２中温再生器に流入し、残部は低温熱交換器、中温熱交換器、中温再生器、高温熱交換器を順次経由して高温再生器に流入し、高温再生器で濃縮再生された吸収液は高温熱交換器、中温熱交換器を順次経由して低温再生器に流入し、第２中温再生器で濃縮再生された吸収液は低温再生器に直接流入し、低温再生器で濃縮再生された吸収液は低温熱交換器を経由して吸収器に還流可能に吸収液管が設けられたことを特徴とする吸収冷凍機。
【請求項６】
第２中温再生器に流入する吸収液と、第２中温再生器から流出した吸収液とが熱交換する熱交換器が設けられたことを特徴とする請求項３または５記載の吸収冷凍機。
【請求項７】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液の一部は低温熱交換器、低温再生器、中温熱交換器を順次経由して第２中温再生器に流入し、残部は低温熱交換器、低温再生器、中温熱交換器、高温熱交換器を順次経由して高温再生器に流入し、高温再生器で濃縮再生された吸収液は高温熱交換器を経由して中温再生器に流入し、第２中温再生器で濃縮再生された吸収液は中温再生器に直接流入し、中温再生器で濃縮再生された吸収液は中温熱交換器、低温熱交換器を順次経由して吸収器に還流可能に吸収液管が設けられたことを特徴とする吸収冷凍機。
【請求項８】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液の一部は低温熱交換器、低温再生器、中温熱交換器を順次経由して第２中温再生器に流入し、残部は低温熱交換器、低温再生器、中温熱交換器、高温熱交換器を順次経由して高温再生器に流入し、高温再生器で濃縮再生された吸収液は高温熱交換器を経由して中温再生器に流入し、第２中温再生器で濃縮再生された吸収液は中温再生器で濃縮再生された前記一部の吸収液と合流し、その後中温熱交換器、低温熱交換器を順次経由して吸収器に還流可能に吸収液管が設けられたことを特徴とする吸収冷凍機。
【請求項９】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液の一部は低温熱交換器、低温再生器、中温熱交換器、中温再生器を順次経由して第２中温再生器に流入し、残部は低温熱交換器、低温再生器、中温熱交換器、中温再生器、高温熱交換器を順次経由して高温再生器に流入し、高温再生器で濃縮再生された吸収液は高温熱交換器、中温熱交換器、低温熱交換器を順次経由して吸収器に還流し、第２中温再生器で濃縮再生された吸収液は高温熱交換器を経由した前記一部の吸収液と合流して吸収器に還流可能に吸収液管が設けられたことを特徴とする吸収冷凍機。
【請求項１０】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液の一部は低温熱交換器を経由して第２中温再生器に流入し、他の一部は低温熱交換器、中温熱交換器を順次経由して中温再生器に流入し、残部は低温熱交換器、中温熱交換器、高温熱交換器を順次経由して高温再生器に流入し、高温再生器で濃縮再生された吸収液は高温熱交換器、中温熱交換器を順次経由して低温再生器に流入し、中温再生器で濃縮再生された吸収液は中温熱交換器を経由して低温再生器に流入し、第２中温再生器で濃縮再生された吸収液は低温再生器に直接流入し、低温再生器で濃縮再生された吸収液は低温熱交換器を経由して吸収器に還流可能に吸収液管が設けられたことを特徴とする吸収冷凍機。
【請求項１１】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液が、低温熱交換器、中温熱交換器、第２中温再生器、高温熱交換器、高温再生器、高温熱交換器、中温再生器、中温熱交換器、低温再生器、低温熱交換器を順次経由して吸収器に還流可能に吸収液管が設けられたことを特徴とする吸収冷凍機。
【請求項１２】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液は低温熱交換器、中温熱交換器、中温再生器、高温熱交換器、高温再生器、高温熱交換器、第２中温再生器、中温熱交換器、低温再生器、低温熱交換器を順次経由して吸収器に還流可能に吸収液管が設けられたことを特徴とする吸収冷凍機。
【請求項１３】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液は低温熱交換器、低温再生器、中温熱交換器、第２中温再生器、高温熱交換器、高温再生器、高温熱交換器、中温再生器、中温熱交換器、低温熱交換器を順次経由して吸収器に還流可能に吸収液管が設けられたことを特徴とする吸収冷凍機。
【請求項１４】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液が、低温熱交換器、低温再生器、中温熱交換器、中温再生器、高温熱交換器、高温再生器、高温熱交換器、第２中温再生器、中温熱交換器、低温熱交換器を順次経由して吸収器に還流可能に吸収液管が設けられたことを特徴とする吸収冷凍機。
【請求項１５】
低温再生器で吸収液の加熱に使用されて凝縮した冷媒の余熱を回収する冷媒余熱回収器が設けられ、低温熱交換器を迂回して循環する吸収器から流出した吸収液の一部が前記冷媒余熱回収器を経由するように吸収液管が設けられたことを特徴とする請求項１〜１４何れかに記載の吸収冷凍機。
【請求項１６】
中温再生器で吸収液の加熱に使用されて凝縮した冷媒の余熱を回収する冷媒余熱回収器が設けられ、中温熱交換器を迂回して循環する吸収器から流出した吸収液の一部が前記冷媒余熱回収器を経由するように吸収液管が設けられたことを特徴とする請求項１〜１５何れかに記載の吸収冷凍機。
【請求項１７】
高温再生器と第２中温再生器とで吸収液の加熱に使用されて放熱した排熱の余熱を回収する排熱回収器が設けられ、冷媒を吸収して吸収器から流出し、再生器に流入する前の吸収液が前記排熱回収器を経由するように吸収液管が設けられたことを特徴とする請求項１〜１６何れかに記載の吸収冷凍機。
【発明の詳細な説明】
【０００１】
【発明の属する技術分野】
本発明は、冷房などの冷却運転に使用する吸収冷凍機に係わるものであり、特に詳しくは他の設備から供給される排熱を熱源として吸収液の再生を図る再生器を備えた吸収冷凍機に係わるものである。
【０００２】
【従来の技術】
発電用ガスタービンの排熱を吸収冷凍機の熱源に利用して空調などを行うコージェネレーションシステムにおいては、吸収冷凍機は一般には二重効用運転されている。そのため、吸収冷凍機のＣＯＰは１．３５程度が限界であり、熱回収率は８０％程度に過ぎない。
【０００３】
【発明が解決しようとする課題】
したがって、吸収冷凍機のＣＯＰと熱回収率をさらに向上させることができる吸収冷凍機を提供する必要があり、それが解決すべき課題となっていた。
【０００４】
【課題を解決するための手段】
本発明は上記従来技術の課題を解決するための具体的手段として、他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液の一部は低温熱交換器、中温熱交換器を順次経由して第２中温再生器に流入し、残部は低温熱交換器、中温熱交換器、高温熱交換器を順次経由して高温再生器に流入し、高温再生器で濃縮再生された吸収液は高温熱交換器を経由して中温再生器に流入し、第２中温再生器で濃縮再生された吸収液は中温再生器で濃縮再生された前記一部の吸収液と合流し、その後中温熱交換器、低温再生器、低温熱交換器を順次経由して吸収器に還流可能に吸収液管が設けられた第１の構成の吸収冷凍機と、
【０００５】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液の一部は低温熱交換器、中温熱交換器を順次経由して第２中温再生器に流入し、残部は低温熱交換器、中温熱交換器、高温熱交換器を順次経由して高温再生器に流入し、高温再生器で濃縮再生された吸収液は高温熱交換器を経由して中温再生器に流入し、第２中温再生器で濃縮再生された吸収液は中温再生器に直接流入し、中温再生器で濃縮再生された吸収液は中温熱交換器、低温再生器、低温熱交換器を順次経由して吸収器に還流可能に吸収液管が設けられた第２の構成の吸収冷凍機と、
【０００６】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液の一部は低熱交換器を経由して第２中温再生器に流入し、残部は低温熱交換器、中温熱交換器、高温熱交換器を順次経由して高温再生器に流入し、高温再生器で濃縮再生された吸収液は高温熱交換器を経由して中温再生器に流入し、第２中温再生器で濃縮再生された吸収液は中温再生器に直接流入し、中温再生器で濃縮再生された吸収液は中温熱交換器、低温再生器、低温熱交換器を順次経由して吸収器に還流可能に吸収液管が設けられた第３の構成の吸収冷凍機と、
【０００７】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液の一部は低温熱交換器、中温熱交換器、中温再生器を順次経由して第２中温再生器に流入し、残部は低温熱交換器、中温熱交換器、中温再生器、高温熱交換器を順次経由して高温再生器に流入し、高温再生器で濃縮再生された吸収液は高温熱交換器、中温熱交換器を順次経由して低温再生器に流入し、第２中温再生器で濃縮再生された吸収液は高温熱交換器を経由した前記一部の吸収液と合流して中温熱交換器と低温再生器に流入し、低温再生器で濃縮再生された吸収液は低温熱交換器を経由して吸収器に還流可能に吸収液管が設けられた第４の構成の吸収冷凍機と、
【０００８】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液の一部は低温熱交換器を経由して第２中温再生器に流入し、残部は低温熱交換器、中温熱交換器、中温再生器、高温熱交換器を順次経由して高温再生器に流入し、高温再生器で濃縮再生された吸収液は高温熱交換器、中温熱交換器を順次経由して低温再生器に流入し、第２中温再生器で濃縮再生された吸収液は低温再生器に直接流入し、低温再生器で濃縮再生された吸収液は低温熱交換器を経由して吸収器に還流可能に吸収液管が設けられた第５の構成の吸収冷凍機と、
【０００９】
前記第３または第５の構成の吸収冷凍機において、第２中温再生器に流入する吸収液と、第２中温再生器から流出した吸収液とが熱交換する熱交換器が設けられた第６の構成の吸収冷凍機と、
【００１０】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液の一部は低温熱交換器、低温再生器、中温熱交換器を順次経由して第２中温再生器に流入し、残部は低温熱交換器、低温再生器、中温熱交換器、高温熱交換器を順次経由して高温再生器に流入し、高温再生器で濃縮再生された吸収液は高温熱交換器を経由して中温再生器に流入し、第２中温再生器で濃縮再生された吸収液は中温再生器に直接流入し、中温再生器で濃縮再生された吸収液は中温熱交換器、低温熱交換器を順次経由して吸収器に還流可能に吸収液管が設けられた第７の構成の吸収冷凍機と、
【００１１】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液の一部は低温熱交換器、低温再生器、中温熱交換器を順次経由して第２中温再生器に流入し、残部は低温熱交換器、低温再生器、中温熱交換器、高温熱交換器を順次経由して高温再生器に流入し、高温再生器で濃縮再生された吸収液は高温熱交換器を経由して中温再生器に流入し、第２中温再生器で濃縮再生された吸収液は中温再生器で濃縮再生された前記一部の吸収液と合流し、その後中温熱交換器、低温熱交換器を順次経由して吸収器に還流可能に吸収液管が設けられた第８の構成の吸収冷凍機と、
【００１２】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液の一部は低温熱交換器、低温再生器、中温熱交換器、中温再生器を順次経由して第２中温再生器に流入し、残部は低温熱交換器、低温再生器、中温熱交換器、中温再生器、高温熱交換器を順次経由して高温再生器に流入し、高温再生器で濃縮再生された吸収液は高温熱交換器、中温熱交換器、低温熱交換器を順次経由して吸収器に還流し、第２中温再生器で濃縮再生された吸収液は高温熱交換器を経由した前記一部の吸収液と合流して吸収器に還流可能に吸収液管が設けられた第９の構成の吸収冷凍機と、
【００１３】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液の一部は低温熱交換器を経由して第２中温再生器に流入し、他の一部は低温熱交換器、中温熱交換器を順次経由して中温再生器に流入し、残部は低温熱交換器、中温熱交換器、高温熱交換器を順次経由して高温再生器に流入し、高温再生器で濃縮再生された吸収液は高温熱交換器、中温熱交換器を順次経由して低温再生器に流入し、中温再生器で濃縮再生された吸収液は中温熱交換器を経由して低温再生器に流入し、第２中温再生器で濃縮再生された吸収液は低温再生器に直接流入し、低温再生器で濃縮再生された吸収液は低温熱交換器を経由して吸収器に還流可能に吸収液管が設けられた第１０の構成の吸収冷凍機と、
【００１４】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液が、低温熱交換器、中温熱交換器、第２中温再生器、高温熱交換器、高温再生器、高温熱交換器、中温再生器、中温熱交換器、低温再生器、低温熱交換器を順次経由して吸収器に還流可能に吸収液管が設けられた第１１の構成の吸収冷凍機と、
【００１５】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液は低温熱交換器、中温熱交換器、中温再生器、高温熱交換器、高温再生器、高温熱交換器、第２中温再生器、中温熱交換器、低温再生器、低温熱交換器を順次経由して吸収器に還流可能に吸収液管が設けられた第１２の構成の吸収冷凍機と、
【００１６】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液は低温熱交換器、低温再生器、中温熱交換器、第２中温再生器、高温熱交換器、高温再生器、高温熱交換器、中温再生器、中温熱交換器、低温熱交換器を順次経由して吸収器に還流可能に吸収液管が設けられた第１３の構成の吸収冷凍機と、
【００１７】
他の設備から供給される排熱により吸収液を加熱して吸収液に含まれる冷媒を蒸発分離し、冷媒が吸収できるように吸収液を濃縮再生する高温再生器、高温再生器で吸収液から蒸発分離した冷媒蒸気を熱源として高温再生器と同様に動作する中温再生器、中温再生器で吸収液から蒸発分離した冷媒蒸気を熱源として高温再生器と同様に動作する低温再生器を備えると共に、異なる温度の吸収液同士が熱交換する熱交換器として高温熱交換器、中温熱交換器、低温熱交換器を備え、更に高温再生器で放熱した前記排熱の余熱を熱源として動作し、吸収液から蒸発分離した冷媒蒸気を低温再生器に熱源として供給する第２中温再生器を設けた吸収冷凍機において、
吸収器で冷媒を吸収した吸収液が、低温熱交換器、低温再生器、中温熱交換器、中温再生器、高温熱交換器、高温再生器、高温熱交換器、第２中温再生器、中温熱交換器、低温熱交換器を順次経由して吸収器に還流可能に吸収液管が設けられた第１４の構成の吸収冷凍機と、
【００１８】
前記第１〜第１４何れかに記載の吸収冷凍機において、低温再生器で吸収液の加熱に使用されて凝縮した冷媒の余熱を回収する冷媒余熱回収器が設けられ、低温熱交換器を迂回して循環する吸収器から流出した吸収液の一部が前記冷媒余熱回収器を経由するように吸収液管が設けられた第１５の構成の吸収冷凍機と、
【００１９】
前記第１〜第１５何れかに記載の吸収冷凍機において、中温再生器で吸収液の加熱に使用されて凝縮した冷媒の余熱を回収する冷媒余熱回収器が設けられ、中温熱交換器を迂回して循環する吸収器から流出した吸収液の一部が前記冷媒余熱回収器を経由するように吸収液管が設けられた第１６の構成の吸収冷凍機と、
【００２０】
前記第１〜第１６何れかに記載の吸収冷凍機において、高温再生器と第２中温再生器とで吸収液の加熱に使用されて放熱した排熱の余熱を回収する排熱回収器が設けられ、冷媒を吸収して吸収器から流出し、再生器に流入する前の吸収液が前記排熱回収器を経由するように吸収液管が設けられた第１７の構成の吸収冷凍機と、
【００２２】
【発明の実施の形態】
以下、本発明の実施形態を図面に基づいて詳細に説明する。
【００２３】
〔第１の実施形態〕
本発明の第１の実施形態を、図１に基づいて詳細に説明する。
図中１は高温再生器、２Ａは中温再生器、２Ｂは第２中温再生器、３は低温再生器、４は凝縮器、５は蒸発器、６は吸収器、７は低温熱交換器、８は中温熱交換器、９は高温熱交換器、１０と１１は吸収液ポンプ、１３は冷媒ポンプであり、それぞれは図示したように実線で示した吸収液管と破線で示した冷媒管とで接続され、冷媒とそれを吸収した吸収液とがそれぞれ循環可能に構成されている。
【００２４】
また、高温再生器１と第２中温再生器２Ｂには図示しないコージェネレーションシステムなどから供給される高温の排ガスを供給するための排熱供給管１４が直列に通され、蒸発器５には冷水管１５が通され、吸収器６と凝縮器４には冷却水管１６が直列に通されている。
【００２５】
したがって、上記構成になる吸収冷凍機においては、吸収液ポンプ１０・１１および冷媒ポンプ１３を運転すると共に、排熱供給管１４を介して高温再生器１と第２中温再生器２Ｂとに、図示しない発電用ガスタービンなどから出る高温の排ガスを供給すると、吸収器６で冷媒を吸収した吸収液は、一部は低温熱交換器７、中温熱交換器８を順次経由して第２中温再生器２Ｂに入り、残部は低温熱交換器７、中温熱交換器８、高温熱交換器９を順次経由して高温再生器１に入り、高温再生器１で濃縮再生された吸収液は高温熱交換器１を経由して中温再生器２Ａに入り、第２中温再生器２Ｂで濃縮再生された吸収液は中温再生器２Ａで濃縮再生された前記一部の吸収液と合流し、その後も中温熱交換器８、低温再生器３、低温熱交換器７を順次経由して濃縮再生され、吸収器６に戻される。
【００２６】
すなわち、吸収液は、高温再生器１においては排熱供給管１４を介して供給される排ガスが保有する熱により加熱され、吸収液に含まれている冷媒の一部を蒸発分離して濃縮再生される。また、第２中温再生器２Ｂにおいても、高温再生器１における前記加熱により吸収液に放熱した排ガスの余熱により吸収液が加熱され、吸収液に含まれている冷媒の一部を蒸発分離して濃縮再生される。
【００２７】
また、中温再生器２Ａにおいては、高温再生器１における前記加熱により吸収液から蒸発分離して供給される冷媒蒸気により吸収液が加熱され、濃縮再生される。さらに、低温再生器３においては、中温再生器２Ａと第２中温再生器２Ｂそれぞれにおける前記加熱によりそれぞれの吸収液から蒸発分離して供給される冷媒蒸気により吸収液が加熱され、濃縮再生される。
【００２８】
一方、高温再生器１における加熱により吸収液から蒸発分離され、中温再生器２Ａに入って吸収液を濃縮再生して凝縮した冷媒と、中温再生器２Ａ、第２中温再生器２Ｂそれぞれにおける加熱によりそれぞれの吸収液から蒸発分離され、低温再生器３に入って吸収液を濃縮再生して凝縮した冷媒は、凝縮器４に入る。
【００２９】
さらに、低温再生器３における加熱により吸収液から蒸発分離された冷媒蒸気は凝縮器４に入り、冷却水管１６内を流れている冷却水に放熱して凝縮し、中温再生器２Ａと低温再生器３を経由して供給される冷媒液と共に蒸発器５に入る。
【００３０】
蒸発器５に入って底に溜まった冷媒液は、冷媒ポンプ１３により上方から散布され、冷水管１５の内部を流れる水と熱交換して蒸発し、冷水管１５の内部を流れる水を冷却する。
【００３１】
蒸発器５で蒸発した冷媒は吸収器６に入り、低温再生器３における加熱により冷媒を蒸発分離し、吸収液の濃度が一層高まった再生済みの吸収液、すなわち吸収液ポンプ１１により低温再生器３から低温熱交換器７を経由して冷却供給され、上方から散布される吸収液に吸収される。そして、濃縮再生のため、吸収液ポンプ１０などにより、高温再生器１、第２中温再生器２Ｂ、中温再生器２Ａ、低温再生器３に再度循環供給される。
【００３２】
上記のように吸収冷凍機が運転されると、冷水管１５の内部を流れて蒸発器５に入った冷水は、蒸発器５内において冷媒の気化熱により冷却され、その冷却された冷水が冷水管１５を介して図示しない冷却負荷に循環供給できるので、冷房などの冷却運転が行える。
【００３３】
そして、排熱供給管１４を介して高温再生器１に供給され、高温再生器１内の吸収液を加熱して吸収液を濃縮再生した排ガスは第２中温再生器２Ｂに入り、そこにある吸収液をその余熱により加熱して濃縮再生するので、吸収冷凍機のＣＯＰと熱回収率が向上する。
【００３４】
また、吸収器６で冷媒を吸収して吸収液濃度が低下した吸収液は、高温再生器１と第２中温再生器２Ｂとに分岐して供給され、それぞれにおいて濃縮再生されるので、高温再生器１で吸収液から蒸発分離する冷媒蒸気の量は、吸収器６から流出した吸収液の全量が高温再生器１に入るときと比較すると減少する。そのため、高温再生器１内の圧力は顕著に抑制され、再生温度の上昇も抑制される。
【００３５】
〔第２の実施形態〕
本発明の第２の実施形態を、図２に基づいて説明する。
なお、理解を容易にするため、この第２の実施形態の吸収冷凍機においても、前記第１の実施形態の吸収冷凍機と同様の機能を有する部分には同一の符号を付した（後述する第３の実施形態以下においても同じ）。
【００３６】
この第２の実施形態の吸収冷凍機が前記図１に示した第１の実施形態の吸収冷凍機と相違する点は、吸収液管の設け方にある。
【００３７】
すなわち、図２に示した第２の実施形態の吸収冷凍機においては、吸収器６で冷媒を吸収した吸収液は、一部は低温熱交換器７、中温熱交換器８を順次経由して第２中温再生器２Ｂに入り、残部は低温熱交換器７、中温熱交換器８、高温熱交換器９を順次経由して高温再生器１に入り、高温再生器１で濃縮再生された吸収液は高温熱交換器９を経由して中温再生器２Ａに入り、第２中温再生器２Ｂで濃縮再生された吸収液は中温再生器２Ａに直接入り、中温再生器２Ａで濃縮再生された吸収液は、その後も中温熱交換器８、低温再生器３、低温熱交換器７を順次経由して濃縮再生され、吸収器６に戻るように吸収液管が設けられている。
【００３８】
したがって、この第２の実施形態の吸収冷凍機においても、蒸発器５内において冷媒の気化熱により冷却された冷水が冷水管１５を介して図示しない冷却負荷に循環供給できるので、冷房などの冷却運転が行える。
【００３９】
そして、この場合も、排熱供給管１４を介して高温再生器１に供給され、高温再生器１内の吸収液を加熱して吸収液を濃縮再生した排ガスは第２中温再生器２Ｂに入り、そこにある吸収液をその余熱により加熱して濃縮再生するので、吸収冷凍機のＣＯＰと熱回収率が向上する。
【００４０】
また、吸収器６で冷媒を吸収して吸収液濃度が低下した吸収液は、高温再生器１と第２中温再生器２Ｂとに分岐して供給され、それぞれにおいて濃縮再生されるので、高温再生器１で吸収液から蒸発分離する冷媒蒸気の量は、吸収器６から流出した吸収液の全量が高温再生器１に入るときと比較すると減少し、そのために高温再生器１内の圧力は顕著に抑制され、再生温度の上昇も抑制される。
【００４１】
〔第３の実施形態〕
本発明の第３の実施形態を、図３に基づいて説明する。この第３の実施形態の吸収冷凍機が前記第１、第２の実施形態の吸収冷凍機と相違する点も、吸収液管の設け方にある。
【００４２】
すなわち、図３に示した第３の実施形態の吸収冷凍機においては、吸収器６で冷媒を吸収した吸収液は、一部は低温熱交換器７を経由して第２中温再生器２Ｂに入り、残部は低温熱交換器７、中温熱交換器８、高温熱交換器９を順次経由して高温再生器１に入り、高温再生器１で濃縮再生された吸収液は高温熱交換器１を経由して中温再生器２Ａに入り、第２中温再生器２Ｂで濃縮再生された吸収液は中温再生器２Ａに直接入り、中温再生器２Ａで濃縮再生された吸収液は、その後も中温熱交換器８、低温再生器３、低温熱交換器７を順次経由して濃縮再生され、吸収器６に戻るように吸収液管が設けられている。
【００４３】
したがって、この第３の実施形態の吸収冷凍機においても、蒸発器５内において冷媒の気化熱により冷却された冷水が冷水管１５を介して図示しない冷却負荷に循環供給できるので、冷房などの冷却運転が行える。
【００４４】
そして、この場合も、排熱供給管１４を介して高温再生器１に供給され、高温再生器１内の吸収液を加熱して吸収液を濃縮再生した排ガスは第２中温再生器２Ｂに入り、そこにある吸収液をその余熱により加熱して濃縮再生するので、吸収冷凍機のＣＯＰと熱回収率が向上する。
【００４５】
また、吸収器６で冷媒を吸収して吸収液濃度が低下した吸収液は、高温再生器１と第２中温再生器２Ｂとに分岐して供給され、それぞれにおいて濃縮再生されるので、高温再生器１で吸収液から蒸発分離する冷媒蒸気の量は、吸収器６から流出した吸収液の全量が高温再生器１に入るときと比較すると減少し、そのために高温再生器１内の圧力は顕著に抑制され、再生温度の上昇も抑制される。
【００４６】
〔第４の実施形態〕
本発明の第４の実施形態を、図４に基づいて説明する。この第４の実施形態の吸収冷凍機が前記第１、第２の実施形態の吸収冷凍機と相違する点も、吸収液管の設け方にある。また、中温再生器２Ａの下流側に設置した吸収液ポンプ１２の有無においても相違する。
【００４７】
すなわち、図４に示した本発明の第４の実施形態の吸収冷凍機においては、中温再生器２Ａからより高圧の高温再生器１と第２中温再生器２Ｂとに吸収液を搬送するので、中温再生器２Ａの下流側に吸収液ポンプ１２が設けられている。
【００４８】
したがって、図４に示した第４の実施形態の吸収冷凍機においては、吸収器６で冷媒を吸収した吸収液は、一部は低温熱交換器７、中温熱交換器８、中温再生器２Ａを順次経由して第２中温再生器２Ｂに入り、残部は低温熱交換器７、中温熱交換器８、中温再生器２Ａ、高温熱交換器９を順次経由して高温再生器１に入り、高温再生器１で濃縮再生された吸収液は高温熱交換器９、中温熱交換器８を順次経由して低温再生器３に入り、第２中温再生器２Ｂで濃縮再生された吸収液は高温熱交換器９を経由した前記一部の吸収液と合流して中温熱交換器８を経由して低温再生器３に入り、低温再生器３で濃縮再生された吸収液が低温熱交換器７を経由して吸収器６に戻るように吸収液管が設けられている。
【００４９】
したがって、この第４の実施形態の吸収冷凍機においても、蒸発器５内において冷媒の気化熱により冷却された冷水が冷水管１５を介して図示しない冷却負荷に循環供給できるので、冷房などの冷却運転が行える。
【００５０】
そして、この場合も、排熱供給管１４を介して高温再生器１に供給され、高温再生器１内の吸収液を加熱して吸収液を濃縮再生した排ガスは第２中温再生器２Ｂに入り、そこにある吸収液をその余熱により加熱して濃縮再生するので、吸収冷凍機のＣＯＰと熱回収率が向上する。
【００５１】
また、吸収器６で冷媒を吸収して吸収液濃度が低下した吸収液は、先ず中温再生器２Ａに供給され、そこで冷媒の一部を蒸発分離して吸収液濃度を高められた吸収液が高温再生器１と第２中温再生器２Ｂとに分岐して供給され、それぞれにおいて濃縮再生されるので、高温再生器１で吸収液から蒸発分離する冷媒蒸気の量は、吸収器６から流出した吸収液の全量が高温再生器１に直接入るときと比較すると顕著に減少する。そのために高温再生器１内の圧力は顕著に抑制され、再生温度の上昇も抑制される。
【００５２】
〔第５の実施形態〕
本発明の第５の実施形態を、図５に基づいて説明する。この第５の実施形態の吸収冷凍機が前記第１〜第４の実施形態の吸収冷凍機と相違する点も、吸収液管の設け方にある。
【００５３】
すなわち、図５に示した第５の実施形態の吸収冷凍機においては、吸収器６で冷媒を吸収した吸収液は、一部は低温熱交換器７を経由して第２中温再生器２Ｂに入り、残部は低温熱交換器７、中温熱交換器８、中温再生器２Ａ、高温熱交換器９を順次経由して高温再生器１に入り、高温再生器１で濃縮再生された吸収液は高温熱交換器９、中温熱交換器８を順次経由して低温再生器３に入り、第２中温再生器２Ｂで濃縮再生された吸収液は低温再生器３に直接入り、低温再生器３で濃縮再生された吸収液が低温熱交換器７を経由して吸収器６に戻るように吸収液管が設けられている。
【００５４】
したがって、この第５の実施形態の吸収冷凍機においても、蒸発器５内において冷媒の気化熱により冷却された冷水が冷水管１５を介して図示しない冷却負荷に循環供給できるので、冷房などの冷却運転が行える。
【００５５】
そして、この場合も、排熱供給管１４を介して高温再生器１に供給され、高温再生器１内の吸収液を加熱して吸収液を濃縮再生した排ガスは第２中温再生器２Ｂに入り、そこにある吸収液をその余熱により加熱して濃縮再生するので、吸収冷凍機のＣＯＰと熱回収率が向上する。
【００５６】
また、吸収器６で冷媒を吸収して吸収液濃度が低下した吸収液は二分され、一方の吸収液は第２中温再生器２Ｂに供給されて濃縮再生され、他方の吸収液は中温再生器２Ａと高温再生器１とに順次供給されて濃縮再生されるので、高温再生器１で吸収液から蒸発分離する冷媒蒸気の量は、吸収器６から流出した吸収液の全量が高温再生器１に直接入るときと比較すると顕著に減少する。そのために高温再生器１内の圧力は顕著に抑制され、再生温度の上昇も抑制される。
【００５７】
〔第６の実施形態〕
本発明の第６の実施形態を、図６に基づいて説明する。この第６の実施形態の吸収冷凍機が前記第１〜第５の実施形態の吸収冷凍機と相違する点も、吸収液管の設け方にある。
【００５８】
すなわち、図６に示した第６の実施形態の吸収冷凍機においては、吸収器６で冷媒を吸収した吸収液は、一部は低温熱交換器７、低温再生器３、中温熱交換器８を順次経由して第２中温再生器２Ｂに入り、残部は低温熱交換器７、低温再生器３、中温熱交換器８、高温熱交換器９を順次経由して高温再生器１に入り、高温再生器１で濃縮再生された吸収液は高温熱交換器９を経由して中温再生器２Ａに入り、第２中温再生器２Ｂで濃縮再生された吸収液は中温再生器２Ａに直接入り、中温再生器２Ａで濃縮再生された吸収液は中温熱交換器８、低温熱交換器７を順次経由して吸収器６に戻るように吸収液管が設けられている。
【００５９】
したがって、この第６の実施形態の吸収冷凍機においても、蒸発器５内において冷媒の気化熱により冷却された冷水が冷水管１５を介して図示しない冷却負荷に循環供給できるので、冷房などの冷却運転が行える。
【００６０】
そして、この場合も、排熱供給管１４を介して高温再生器１に供給され、高温再生器１内の吸収液を加熱して吸収液を濃縮再生した排ガスは第２中温再生器２Ｂに入り、そこにある吸収液をその余熱により加熱して濃縮再生するので、吸収冷凍機のＣＯＰと熱回収率が向上する。
【００６１】
また、吸収器６で冷媒を吸収して吸収液濃度が低下した吸収液は、先ず低温再生器３に供給され、そこで冷媒の一部を蒸発分離して吸収液濃度を高められた吸収液が高温再生器１と第２中温再生器２Ｂとに分岐して供給され、それぞれにおいて濃縮再生されるので、高温再生器１で吸収液から蒸発分離する冷媒蒸気の量は、吸収器６から流出した吸収液の全量が高温再生器１に直接入るときと比較すると顕著に減少する。そのために高温再生器１内の圧力は顕著に抑制され、再生温度の上昇も抑制される。
【００６２】
〔第７の実施形態〕
本発明の第７の実施形態を、図７に基づいて説明する。この第７の実施形態の吸収冷凍機が前記第１〜第６の実施形態の吸収冷凍機と相違する点も、吸収液管の設け方にある。
【００６３】
すなわち、図７に示した第７の実施形態の吸収冷凍機においては、吸収器６で冷媒を吸収した吸収液は、一部は低温熱交換器７、低温再生器３、中温熱交換器８を順次経由して第２中温再生器２Ｂに入り、残部は低温熱交換器７、低温再生器３、中温熱交換器８、高温熱交換器９を順次経由して高温再生器１に入り、高温再生器１で濃縮再生された吸収液は高温熱交換器９を経由して中温再生器２Ａに入り、第２中温再生器２Ｂで濃縮再生された吸収液は中温再生器２Ａで濃縮再生された前記一部の吸収液と合流し、その後中温熱交換器８、低温熱交換器７を順次経由して吸収器６に戻るように吸収液管が設けられている。
【００６４】
したがって、この第７の実施形態の吸収冷凍機においても、蒸発器５内において冷媒の気化熱により冷却された冷水が冷水管１５を介して図示しない冷却負荷に循環供給できるので、冷房などの冷却運転が行える。
【００６５】
そして、この場合も、排熱供給管１４を介して高温再生器１に供給され、高温再生器１内の吸収液を加熱して吸収液を濃縮再生した排ガスは第２中温再生器２Ｂに入り、そこにある吸収液をその余熱により加熱して濃縮再生するので、吸収冷凍機のＣＯＰと熱回収率が向上する。
【００６６】
また、吸収器６で冷媒を吸収して吸収液濃度が低下した吸収液は、先ず低温再生器３に供給され、そこで冷媒の一部を蒸発分離して吸収液濃度を高められた吸収液が高温再生器１と第２中温再生器２Ｂとに分岐して供給され、それぞれにおいて濃縮再生されるので、高温再生器１で吸収液から蒸発分離する冷媒蒸気の量は、吸収器６から流出した吸収液の全量が高温再生器１に直接入るときと比較すると顕著に減少する。そのために高温再生器１内の圧力は顕著に抑制され、再生温度の上昇も抑制される。
【００６７】
〔第８の実施形態〕
本発明の第８の実施形態を、図８に基づいて説明する。この第８の実施形態の吸収冷凍機が前記第１〜第７の実施形態の吸収冷凍機と相違する点も、吸収液管の設け方にある。
【００６８】
すなわち、図８に示した第８の実施形態の吸収冷凍機においては、吸収器６で冷媒を吸収した吸収液は、一部は低温熱交換器７、低温再生器３、中温熱交換器８、中温再生器２Ａを順次経由して第２中温再生器２Ｂに入り、残部は低温熱交換器７、低温再生器３、中温熱交換器８、中温再生器２Ａ、高温熱交換器９を順次経由して高温再生器１に入り、高温再生器１で濃縮再生された吸収液は高温熱交換器９、中温熱交換器８、低温熱交換器７を順次経由して吸収器６に戻り、第２中温再生器２Ｂで濃縮再生された吸収液は高温熱交換器９を経由した前記一部の吸収液と合流して吸収器６に戻るように吸収液管が設けられている。
【００６９】
したがって、この第８の実施形態の吸収冷凍機においても、蒸発器５内において冷媒の気化熱により冷却された冷水が冷水管１５を介して図示しない冷却負荷に循環供給できるので、冷房などの冷却運転が行える。
【００７０】
そして、この場合も、排熱供給管１４を介して高温再生器１に供給され、高温再生器１内の吸収液を加熱して吸収液を濃縮再生した排ガスは第２中温再生器２Ｂに入り、そこにある吸収液をその余熱により加熱して濃縮再生するので、吸収冷凍機のＣＯＰと熱回収率が向上する。
【００７１】
また、吸収器６で冷媒を吸収して吸収液濃度が低下した吸収液は、先ず低温再生器３に供給され、そこで冷媒の一部を蒸発分離して吸収液濃度を高められた吸収液が中温再生器２Ａに供給され、そこでも冷媒の一部を蒸発分離して吸収液濃度がさらに高められた吸収液が高温再生器１と第２中温再生器２Ｂとに分岐して供給され、それぞれにおいて濃縮再生されるので、高温再生器１で吸収液から蒸発分離する冷媒蒸気の量は、吸収器６から流出した吸収液の全量が高温再生器１に直接入るときと比較すると顕著に減少する。そのために高温再生器１内の圧力は顕著に抑制され、再生温度の上昇も抑制される。
【００７２】
〔第９の実施形態〕
本発明の第９の実施形態を、図９に基づいて説明する。この第９の実施形態の吸収冷凍機が前記第１〜第８の実施形態の吸収冷凍機と相違する点も、吸収液管の設け方にある。
【００７３】
すなわち、図９に示した第９の実施形態の吸収冷凍機においては、吸収器６で冷媒を吸収した吸収液は、一部は低温熱交換器７を経由して第２中温再生器２Ｂに入り、他の一部は低温熱交換器７、中温熱交換器８を順次経由して中温再生器２Ａに入り、残部は低温熱交換器７、中温熱交換器８、高温熱交換器９を順次経由して高温再生器１に入り、高温再生器１で濃縮再生された吸収液は高温熱交換器９、中温熱交換器８を順次経由して低温再生器３に入り、中温再生器２Ａで濃縮再生された吸収液は中温熱交換器８を経由して低温再生器３に入り、第２中温再生器２Ｂで濃縮再生された吸収液は低温再生器３に直接入り、低温再生器３で濃縮再生された吸収液が低温熱交換器７を経由して吸収器６に戻るように吸収液管が設けられている。
【００７４】
したがって、この第９の実施形態の吸収冷凍機においても、蒸発器５内において冷媒の気化熱により冷却された冷水が冷水管１５を介して図示しない冷却負荷に循環供給できるので、冷房などの冷却運転が行える。
【００７５】
そして、この場合も、排熱供給管１４を介して高温再生器１に供給され、高温再生器１内の吸収液を加熱して吸収液を濃縮再生した排ガスは第２中温再生器２Ｂに入り、そこにある吸収液をその余熱により加熱して濃縮再生するので、吸収冷凍機のＣＯＰと熱回収率が向上する。
【００７６】
また、吸収器６で冷媒を吸収して吸収液濃度が低下した吸収液は、高温再生器１と、中温再生器２Ａと、第２中温再生器２Ｂとに分岐して供給され、それぞれにおいて濃縮再生されるので、高温再生器１で吸収液から蒸発分離する冷媒蒸気の量は、吸収器６から流出した吸収液の全量が高温再生器１に入るときと比較すると顕著に減少する。そのために高温再生器１内の圧力は顕著に抑制され、再生温度の上昇も抑制される。
【００７７】
〔第１０の実施形態〕
本発明の第１０の実施形態を、図１０に基づいて説明する。この第１０の実施形態の吸収冷凍機が前記第１〜第９の実施形態の吸収冷凍機と相違する点も、吸収液管の設け方にある。
【００７８】
すなわち、図１０に示した第１０の実施形態の吸収冷凍機においては、吸収器６で冷媒を吸収した吸収液は、低温熱交換器７、中温熱交換器８、第２中温再生器２Ｂ、高温熱交換器９、高温再生器１、高温熱交換器９、中温再生器２Ａ、中温熱交換器８、低温再生器３、低温熱交換器７を順次経由して濃縮再生され、吸収器６に戻るように吸収液管が設けられている。
【００７９】
したがって、この第１０の実施形態の吸収冷凍機においても、蒸発器５内において冷媒の気化熱により冷却された冷水が冷水管１５を介して図示しない冷却負荷に循環供給できるので、冷房などの冷却運転が行える。
【００８０】
そして、この場合も、排熱供給管１４を介して高温再生器１に供給され、高温再生器１内の吸収液を加熱して吸収液を濃縮再生した排ガスは第２中温再生器２Ｂに入り、そこにある吸収液をその余熱により加熱して濃縮再生するので、吸収冷凍機のＣＯＰと熱回収率が向上する。
【００８１】
また、吸収器６で冷媒を吸収して吸収液濃度が低下した吸収液は、先ず第２中温再生器２Ｂに供給され、そこで濃縮再生されたのち高温再生器１に供給されるので、高温再生器１で吸収液から蒸発分離する冷媒蒸気の量は、吸収器６から流出した吸収液が高温再生器１に直接入るときと比較すると顕著に減少する。そのために高温再生器１内の圧力は顕著に抑制され、再生温度の上昇も抑制される。
【００８２】
〔第１１の実施形態〕
本発明の第１１の実施形態を、図１１に基づいて説明する。この第１１の実施形態の吸収冷凍機が前記第１〜第１０の実施形態の吸収冷凍機と相違する点も、吸収液管の設け方にある。
【００８３】
すなわち、図１１に示した第１１の実施形態の吸収冷凍機においては、吸収器６で冷媒を吸収した吸収液は、低温熱交換器７、中温熱交換器８、中温再生器２Ａ、高温熱交換器９、高温再生器１、高温熱交換器９、第２中再生器２Ｂ、中温熱交換器８、低温再生器３、低温熱交換器７を順次経由して濃縮再生され、吸収器６に戻るように吸収液管が設けられている。
【００８４】
したがって、この第１１の実施形態の吸収冷凍機においても、蒸発器５内において冷媒の気化熱により冷却された冷水が冷水管１５を介して図示しない冷却負荷に循環供給できるので、冷房などの冷却運転が行える。
【００８５】
そして、この場合も、排熱供給管１４を介して高温再生器１に供給され、高温再生器１内の吸収液を加熱して吸収液を濃縮再生した排ガスは第２中温再生器２Ｂに入り、そこにある吸収液をその余熱により加熱して濃縮再生するので、吸収冷凍機のＣＯＰと熱回収率が向上する。
【００８６】
また、吸収器６で冷媒を吸収して吸収液濃度が低下した吸収液は、先ず中温再生器２Ａに供給され、そこで濃縮再生されたのち高温再生器１に供給されるので、高温再生器１で吸収液から蒸発分離する冷媒蒸気の量は、吸収器６から流出した吸収液が高温再生器１に直接入るときと比較すると顕著に減少する。そのために高温再生器１内の圧力は顕著に抑制され、再生温度の上昇も抑制される。
【００８７】
〔第１２の実施形態〕
本発明の第１２の実施形態を、図１２に基づいて説明する。この第１２の実施形態の吸収冷凍機が前記第１〜第１１の実施形態の吸収冷凍機と相違する点も、吸収液管の設け方にある。
【００８８】
すなわち、図１２に示した第１２の実施形態の吸収冷凍機においては、吸収器６で冷媒を吸収した吸収液は、低温熱交換器７、低温再生器３、中温熱交換器８、第２中温再生器２Ｂ、高温熱交換器９、高温再生器１、高温熱交換器９、中温再生器２Ａ、中温熱交換器８、低温熱交換器７を順次経由して濃縮され、吸収器６に戻るように吸収液管が設けられている。
【００８９】
したがって、この第１２の実施形態の吸収冷凍機においても、蒸発器５内において冷媒の気化熱により冷却された冷水が冷水管１５を介して図示しない冷却負荷に循環供給できるので、冷房などの冷却運転が行える。
【００９０】
そして、この場合も、排熱供給管１４を介して高温再生器１に供給され、高温再生器１内の吸収液を加熱して吸収液を濃縮再生した排ガスは第２中温再生器２Ｂに入り、そこにある吸収液をその余熱により加熱して濃縮再生するので、吸収冷凍機のＣＯＰと熱回収率が向上する。
【００９１】
また、吸収器６で冷媒を吸収して吸収液濃度が低下した吸収液は、先ず低温再生器３に供給され、そこで冷媒の一部を蒸発分離して吸収液濃度を高められた吸収液が第２中温再生器２Ｂに供給され、そこでも冷媒を蒸発分離して吸収液濃度がさらに高められた吸収液が高温再生器１に供給されるので、高温再生器１で吸収液から蒸発分離する冷媒蒸気の量は、吸収器６から流出した吸収液が高温再生器１に直接入るときと比較すると顕著に減少する。そのために高温再生器１内の圧力は顕著に抑制され、再生温度の上昇も抑制される。
【００９２】
〔第１３の実施形態〕
本発明の第１３の実施形態を、図１３に基づいて説明する。この第１３の実施形態の吸収冷凍機が前記第１〜第１２の実施形態の吸収冷凍機と相違する点も、吸収液管の設け方にある。
【００９３】
すなわち、図１３に示した第１３の実施形態の吸収冷凍機においては、吸収器６で冷媒を吸収した吸収液は、低温熱交換器７、低温再生器３、中温熱交換器８、中温再生器２Ａ、高温熱交換器９、高温再生器１、高温熱交換器９、第２中温再生器２Ｂ、中温熱交換器８、低温熱交換器７を順次経由して濃縮され、吸収器６に戻るように吸収液管が設けられている。
【００９４】
したがって、この第１３の実施形態の吸収冷凍機においても、蒸発器５内において冷媒の気化熱により冷却された冷水が冷水管１５を介して図示しない冷却負荷に循環供給できるので、冷房などの冷却運転が行える。
【００９５】
そして、この場合も、排熱供給管１４を介して高温再生器１に供給され、高温再生器１内の吸収液を加熱して吸収液を濃縮再生した排ガスは第２中温再生器２Ｂに入り、そこにある吸収液をその余熱により加熱して濃縮再生するので、吸収冷凍機のＣＯＰと熱回収率が向上する。
【００９６】
また、吸収器６で冷媒を吸収して吸収液濃度が低下した吸収液は、先ず低温再生器３に供給され、そこで冷媒の一部を蒸発分離して吸収液濃度を高められた吸収液が中温再生器２Ａに供給され、そこでも冷媒を蒸発分離して吸収液濃度がさらに高められた吸収液が高温再生器１に供給されるので、高温再生器１で吸収液から蒸発分離する冷媒蒸気の量は、吸収器６から流出した吸収液が高温再生器１に直接入るときと比較すると顕著に減少する。そのために高温再生器１内の圧力は顕著に抑制され、再生温度の上昇も抑制される。
【００９７】
〔第１４の実施形態〕
本発明の第１４の実施形態を、図１４に基づいて説明する。この第１４の実施形態の吸収冷凍機が図１に示した前記第１の実施形態の吸収冷凍機と相違する点は、低温再生器３の吸収液の濃縮再生に使用され、低温再生器３において吸収液に放熱して凝縮した冷媒の余熱を回収するための冷媒余熱回収器１８と、中温再生器２Ａの吸収液の濃縮再生に使用され、中温再生器２Ａにおいて吸収液に放熱して凝縮した冷媒の余熱を回収するための冷媒余熱回収器１９の有無にある。
【００９８】
すなわち、この第１４の実施形態の吸収冷凍機においては、吸収液ポンプ１０により搬送されている吸収液、すなわち吸収器６で冷媒を吸収し、吸収液濃度が低下して吸収器６から流出した吸収液の一部が、低温熱交換器７と中温熱交換器８とを迂回して冷媒余熱回収器１８、１９を経由するように構成されている。
【００９９】
そのため、図１４に示した第１４の実施形態の吸収冷凍機においては、図１に示した前記第１の構成の吸収冷凍機よりさらに熱効率が改善できるといった特長がある。
【０１００】
〔第１５の実施形態〕
本発明の第１５の実施形態を、図１５に基づいて説明する。この第１５の実施形態の吸収冷凍機が図１に示した前記第１の実施形態の吸収冷凍機と相違する点は、高温再生器１と第２中温再生器２Ｂ内の吸収液の濃縮再生に使用され、再生器１、２Ｂにおいて吸収液に放熱した排熱の余熱を回収するための排熱回収器２０、２１の有無にある。
【０１０１】
すなわち、図１５に示した第１５の実施形態の吸収冷凍機においても、図１に示した前記第１の構成の吸収冷凍機よりさらに熱効率が改善できるといった特長がある。
【０１０２】
なお、本発明は上記実施形態に限定されるものではないので、特許請求の範囲に記載の趣旨から逸脱しない範囲で各種の変形実施が可能である。
【０１０３】
また、例えば図３と図５に破線で示したように、第２中温再生器２Ｂに流入する吸収液と、第２中温再生器２Ｂから流出した吸収液とが熱交換する第２中温熱交換器１７を設けて熱効率を一層高めることもできる。
【０１０４】
また、図１４に示した前記第１４の実施形態の吸収冷凍機において用いた冷媒余熱回収器１８、１９を他の実施形態の吸収冷凍機に設ける、図１５に示した前記第１５の実施形態の吸収冷凍機において用いた排熱回収器２０、２１を他の実施形態の吸収冷凍機に設けることなども可能である。
【０１０５】
【発明の効果】
以上説明したように本発明の吸収冷凍機によれば、ＣＯＰと熱回収率の改善が図れる。また、熱効率に優れた吸収冷凍機としたにも拘わらず、機内圧力と再生温度の著しい上昇が抑えられるので、耐圧性や耐食性を特別に高める必要もない。そのため、製造コストの大幅な増加も回避できる。
【図面の簡単な説明】
【図１】第１の実施形態の説明図である。
【図２】第２の実施形態の説明図である。
【図３】第３の実施形態の説明図である。
【図４】第４の実施形態の説明図である。
【図５】第５の実施形態の説明図である。
【図６】第６の実施形態の説明図である。
【図７】第７の実施形態の説明図である。
【図８】第８の実施形態の説明図である。
【図９】第９の実施形態の説明図である。
【図１０】第１０の実施形態の説明図である。
【図１１】第１１の実施形態の説明図である。
【図１２】第１２の実施形態の説明図である。
【図１３】第１３の実施形態の説明図である。
【図１４】第１４の実施形態の説明図である。
【図１５】第１５の実施形態の説明図である。
【符号の説明】
１  高温再生器
２Ａ  中温再生器
２Ｂ  第２中温再生器
３  低温再生器
４  凝縮器
５  蒸発器
６  吸収器
７  低温熱交換器
８  中温熱交換器
９  高温熱交換器
１０〜１２  吸収液ポンプ
１３  冷媒ポンプ
１４  排熱供給管
１５  冷水管
１６  冷却水管
１７  第２中温熱交換器
１８、１９  冷媒余熱回収器
２０、２１  排熱回収器
【図１】
0003851136.tif 000002
【図２】
0003851136.tif 000003
【図３】
0003851136.tif 000004
【図４】
0003851136.tif 000005
【図５】
0003851136.tif 000006
【図６】
0003851136.tif 000007
【図７】
0003851136.tif 000008
【図８】
0003851136.tif 000009
【図９】
0003851136.tif 000010
【図１０】
0003851136.tif 000011
【図１１】
0003851136.tif 000012
【図１２】
0003851136.tif 000013
【図１３】
0003851136.tif 000014
【図１４】
0003851136.tif 000015
【図１５】
0003851136.tif 000016